(57)【要約】使用者によって手動で充填され、そして物質を加圧ディスペンサからエアロゾルとして分配する、機械的に加圧された分配システムが開示される。この分配システム（１０）は、種々の実施形態において、機械的加圧アセンブリ、ならびに特に、アクチュエータアセンブリ（２０）およびカラーキャップアセンブリ（４０）を備える。好ましい実施形態は、アクチュエータアセンブリのアクチュエータハウジング（２２）が手動で回転される場合にこの分配システムを機械的に充填するための、スピンドル（４６）およびピストン（４４）を組み込む。この分配システムを機械的に充填する際に利用される、ねじ切りされたピストンを提供する、他のディスペンサシステムが開示される。
2004538139.tif 000002
【特許請求の範囲】
【請求項１】
製品を分配するための、機械的に加圧されたシステムであって、以下：
アクチュエータアセンブリであって、該アクチュエータアセンブリは、該製品を分配するための出口を有するアクチュエータ、該製品を該出口へと選択的に経路決めするための弁、および該弁と接続するアクチュエータハウジングをさらに備え、該アクチュエータは、起動機構をさらに有し、該起動機構は、トリガされると、該製品を、強制的に、まず該弁に通し、次いで該出口に通す、アクチュエータアセンブリ；
ピストンアセンブリであって、該ピストンアセンブリは、ピストンハウジングをさらに備え、該ピストンハウジングは、該製品を該ピストンハウジングに引き込むための入口をさらに備え、そして該ピストンハウジングは、スピンドルと組み合わせてピストンをさらに受容し得、そして該スピンドルは、内壁および外壁を備え、該外壁は、該スピンドルと組み合わせた該ピストンがピストンカラー内を線形移動することを可能にする、一連のねじ山をさらに備え、そして該ピストンカラーは、該ピストンハウジングを接続可能に係合し得、そして該ピストンアセンブリは、カラーキャップをさらに備え、そして該カラーキャップは、該ピストンカラーを据え付け得、該カラーキャップは、さらに、該ピストンハウジングを接続可能に係合し得、そして該ピストンアセンブリは、該アクチュエータアセンブリを接続可能に係合するための手段をさらに備える、ピストンアセンブリ；ならびに
該ピストンハウジングと流体連絡した、拡張抵抗性レザバ、
を備える、システム。
【請求項２】
前記システムが、前記カラーキャップに密封可能に接続される容器をさらに備える、請求項１に記載のシステム。
【請求項３】
前記製品を分配するための前記出口が、開口部をさらに備える、請求項１に記載のシステム。
【請求項４】
前記弁が、弁棒シールおよびばね弁保持装置をさらに備え、該弁棒シールは、前記アクチュエータ内に据え付けられ、そしてさらに、該ばね弁保持装置を接続可能に係合し得る、請求項１に記載のシステム。
【請求項５】
前記入口が、ポートを備える、請求項２に記載のシステム。
【請求項６】
前記ポートが、浸漬管の上端部に密封可能に接続され得、該浸漬管が、下端部をさらに備え、その結果、該浸漬管が前記容器内に下向きに延びる場合に、該浸漬管の下端部が前記製品と流体連絡する、請求項５に記載のシステム。
【請求項７】
前記ピストンハウジングが、前記ピストンカラーに密封可能に接続される、請求項１に記載のシステム。
【請求項８】
前記ピストンハウジングが、前記レザバに密封可能に接続される、請求項１に記載のシステム。
【請求項９】
前記システムが、少なくとも１つの通気口をさらに備え、該通気口は、該システムが、前記製品の分配に続いて該システム内への周囲空気の流入を容易にすることによって、平衡を回復することを可能にする、請求項１に記載のシステム。
【請求項１０】
前記レザバが、エラストマーブラダーである、請求項１に記載のシステム。
【請求項１１】
前記システムが、オーバーキャップをさらに備え、そして該オーバーキャップ、前記弁棒シール、前記ばね弁保持装置、前記アクチュエータハウジング、前記カラーキャップ、前記ピストンカラー、前記スピンドル、前記ピストン、前記ピストンハウジングおよび前記容器が、共通の軸の周りで実質的に対称的に配置されている、請求項１０に記載のシステム。
【請求項１２】
前記起動機構が、起動ボタンであり、該起動ボタンは、押下されると、前記アクチュエータアセンブリの前記出口を通しての、前記製品の放出をトリガする、請求項１に記載のシステム。
【請求項１３】
前記ピストンカラーが、本質的に円形であり、そして外側壁および内側壁をさらに備え、該内側壁は、一連の溝をさらに備える、請求項２に記載のシステム。
【請求項１４】
前記ピストカラー内での前記スピンドルの線形移動が、該スピンドルの前記一連のねじ山と、該ピストンカラーの前記一連の溝との間の相互作用による、請求項１３に記載のシステム。
【請求項１５】
前記アクチュエータハウジングおよび前記カラーキャップが、両方、実質的に円形であり、そしてさらに、該アクチュエータハウジングおよび該カラーキャップが、各々が共通の軸の周りで時計回り方向と反時計回り方向との両方で回転し得るような様式で接続されている、請求項１４に記載のシステム。
【請求項１６】
前記スピンドルの前記線形移動が、前記カラーキャップの逆方向での回転、または該カラーキャップもしくは前記容器のいずれかに付与される逆方向の力の回転のいずれかと同時の、一方向での前記アクチュエータハウジングの回転によって開始し、該逆方向の力が、該カラーキャップまたは該容器の回転を制限するために十分である、請求項１５に記載のシステム。
【請求項１７】
前記アクチュエータハウジングの第一の回転および同時の前記カラーキャップの第一の回転または該カラーキャップもしくは前記容器への前記逆方向の力の付与が、強制的に、前記ピストンおよび前記スピンドルを、前記ピストンハウジングを通して上向きに線形移動させ、これによって、前記ピストンハウジング内へと製品を液圧式に引き込む、請求項１６に記載のシステム。
【請求項１８】
前記アクチュエータハウジングの第二の回転および同時の前記カラーキャップの第二の回転または該カラーキャップもしくは前記容器のいずれかへの前記逆方向の力の付与が、強制的に、前記ピストンおよび前記スピンドルを、前記ピストンハウジングを通して下向きに線形移動させ、これによって、前記レザバ内へと製品を液圧式に押し込む、請求項１７に記載のシステム。
【請求項１９】
前記アクチュエータハウジングが、外側表面を有することによってさらに規定され、そして前記カラーキャップが、外側表面を有することによってさらに規定され、そして各々の該外側表面が、回転を容易にするために把持性を高めるための、表面変化をさらに備える、請求項１８に記載のシステム。
【請求項２０】
前記スピンドルが、前記一連のねじ山の各々の特定のピッチ、および該一連のねじ山の各々の間の特定の距離によってさらに規定される、請求項１８に記載のシステム。
【請求項２１】
前記スピンドルの一連のねじ山の各々の特定のピッチ、および該スピンドルの一連のねじ山の各々の間の特定の距離が、両方、前記ピストンハウジングに引き込まれる製品の量、および前記レザバに押し込まれる製品の量を変化させるために変動され得る、請求項２０に記載のシステム。
【請求項２２】
前記ピストンカラーの前記内側壁の前記一連の溝が、ピッチを有する各溝によってさらに規定され、そしてまたさらに、該一連の溝の各々の間の距離を有することによって規定され、ここで、該一連の溝のピッチおよび各溝の間の距離が、前記ピストンハウジングに引き込まれる製品の量および前記レザバに押し込まれる製品の量を変化させるために変動され得る、請求項９に記載のシステム。
【請求項２３】
前記ピストンが、直径および長さによってさらに規定され、そして該ピストンの該直径および該長さが、前記ピストンハウジングに引き込まれる製品の量および前記レザバに押し込まれる製品の量を変化させるために変動され得る、請求項１に記載のシステム。
【請求項２４】
前記エラストマーブラダーが、材料、体積、および幾何学的形状によってさらに規定される、請求項１０に記載のシステム。
【請求項２５】
前記エラストマーブラダーの前記材料、前記体積、および／または前記幾何学的形状が、分配される製品の量を変化させるために変動され得る、請求項２４に記載のシステム。
【請求項２６】
前記アクチュエータハウジングが、内壁および外壁、ならびに該内壁と該外壁との間に配置される中間壁を有する、請求項１５に記載のシステム。
【請求項２７】
前記アクチュエータハウジングの前記中間壁が、一連の溝をさらに備え、これによって、前記スピンドルの前記一連のねじ山と組み合わせられる場合に、前記ピストンのさらなる線形移動を可能にする、請求項２６に記載のシステム。
【請求項２８】
前記ピストンおよび前記スピンドルが、密封可能に組み合わせられて、第一の単一の構成要素を形成する、請求項１に記載のシステム。
【請求項２９】
前記ピストンカラーおよび前記カラーキャップが、密封可能に組み合わせられて、第二の単一の構成要素を形成する、請求項２８に記載のシステム。
【請求項３０】
製品を分配するための、機械的に加圧されたシステムであって、以下：
アクチュエータアセンブリであって、該アクチュエータアセンブリは、以下：
アクチュエータであって、該アクチュエータは、出口開口部、および該出口開口部を通しての該製品の分配をトリガするための起動機構をさらに備える、アクチュエータ；
弁であって、該弁は、弁棒シールおよびばね弁保持装置をさらに備え、該弁棒シールは、該アクチュエータ内に据え付けられ、そして該弁棒シールは、さらに、該ばね弁保持装置と接続可能に係合しており、該弁は、第一の位置および第二の位置をさらに有し、該第一の位置において、一旦係合すると、該製品が該出口開口部に流れ得ず、そして該第二の位置において、一旦係合すると、該製品は該出口開口部に流れ得、そして該弁は、該起動機構と連絡しており、その結果、該起動機構がトリガされると、弁手段の該第二の位置が選択され、そして該製品が該出口開口部に流れ得る、弁；ならびに
アクチュエータハウジングであって、該アクチュエータハウジングは、実質的に円形であり、そして少なくとも実質的に円形の内壁および実質的に円形の外壁をさらに備え、該内壁は、該ばね弁保持装置を受容し得る環状空間を規定する、アクチュエータハウジング；
を備える、アクチュエータアセンブリ；
ピストンアセンブリであって、該ピストンアセンブリは、以下：
ピストンであって、該ピストンは、さらに、長さおよび直径を有すると規定され、そして該ピストンは、スピンドルと組み合わせられており、該スピンドルは、内壁および外壁を有し、該外壁は、一連のねじ山をさらに備える、ピストン；
ピストンハウジングであって、該ピストンハウジングは、該ピストンの該直径より少なくともわずかに大きい直径を有し、その結果、該ピストンハウジングは、該スピンドルと組み合わせて該ピストンを収容し得、該ピストンハウジングは、入口開口部をさらに備える、ピストンハウジング；
実質的に円形のピストンカラーであって、該ピストンカラーは、外壁および内壁をさらに備え、該内壁は、一連の溝をさらに備え、該ピストンカラーの該一連の溝は、該スピンドルの該一連のねじ山と係合して、該ピストンカラー内での該スピンドルの線形移動を発生させる、ピストンカラー；ならびに
カラーキャップであって、該カラーキャップは、実質的に円形であり、そして少なくとも実質的に円形の内壁および実質的に円形の外壁をさらに備え、該内壁は、一連の溝をさらに備え、該カラーキャップは、さらに、該ピストンカラーと接続可能に係合し得、そしてまた、該ピストンハウジングと接続可能に係合し得、そして該カラーキャップは、さらに、該アクチュエータハウジングと接続可能に係合し得る、カラーキャップ；
を備える、ピストンアセンブリ；ならびに
該ピストンハウジングと流体連絡している、拡張抵抗性レザバ、
を備える、システム。
【請求項３１】
前記システムが、容器をさらに備え、該容器が、一連のねじ山をさらに備え、その結果、該容器の該一連のねじ山および前記カラーキャップの前記一連のねじ山が係合して、密封可能な接続を作製する、請求項３０に記載のシステム。
【請求項３２】
前記ピストンハウジングの前記入口開口部が、浸漬管の上端部に密封可能に接続されており、該浸漬管が、下端部をさらに有し、該浸漬管は、前記容器内に下向きに延び、その結果、該下端部が、前記製品と流体連絡する、請求項３０に記載のシステム。
【請求項３３】
前記システムが、オーバーキャップをさらに備え、該オーバーキャップが、前記アクチュエータハウジングに密封可能に接続され、そして該オーバーキャップ、前記アクチュエータ、前記弁、該アクチュエータハウジング、前記ピストン、前記スピンドル、前記ピストンハウジング、前記ピストンカラー、前記カラーキャップ、前記レザバおよび前記容器が、共通の軸の周りで実質的に対称的に配置されている、請求項３１に記載のシステム。
【請求項３４】
前記アクチュエータハウジングおよび前記カラーキャップが、各々が共通の軸の周りで時計回り方向と反時計回り方向との両方で回転し得るような様式で接続されている、請求項３３に記載のシステム。
【請求項３５】
第一の回転力が、前記アクチュエータハウジングに付与され、そして第一の逆方向の回転力が、前記カラーキャップまたは前記容器のいずれかに付与される場合、前記スピンドルの前記一連のねじ山が、前記ピストンカラーの前記一連の溝に沿って線形移動して、前記ピストンを該ピストンハウジングを通して上向きに線形移動させ、これによって、製品を該ピストンハウジング内に液圧式に引き込む、請求項３４に記載のシステム。
【請求項３６】
第二の回転力が、前記アクチュエータハウジングに、前記第一の回転力とは逆の方向で付与され、そして第二の逆方向の力が、前記カラーキャップまたは前記容器のいずれかに付与される場合、前記スピンドルの前記一連のねじ山が、前記ピストンカラーの前記一連の溝に沿って線形移動して、前記ピストンを、該ピストンハウジングを通して下向きに線形移動させ、これによって、製品を前記レザバに液圧的に押し込む、請求項３５に記載のシステム。
【請求項３７】
前記アクチュエータハウジングの前記外壁および前記カラーキャップの前記外壁が、各々、把持性を増すための表面変化をさらに備える、請求項３６に記載のシステム。
【請求項３８】
前記スピンドルの前記一連のねじ山および前記カラーキャップの前記一連の溝が、各々、各ねじ山または溝の特定のピッチ、および各ねじ山間または溝間の特定の距離によってさらに規定され、そして該スピンドルの該一連のねじ山または該ピストンカラーの該一連の溝のいずれかの、各特定のピッチおよび／または各特定の距離が、前記アクチュエータハウジングおよび該カラーキャップまたは前記容器のいずれかに付与される前記第一の回転力および前記第二の回転力によって発生する線形移動の量を変化させるために変動され得る、請求項３７に記載のシステム。
【請求項３９】
前記ピストンの長さまたは該ピストンの穴の直径が、前記ピストンハウジングに引き込まれる製品の量および前記レザバに押し込まれる製品の量を変化させるために変動され得る、請求項３０に記載のシステム。
【請求項４０】
前記レザバが、エラストマーブラダーであり、該エラストマーブラダーが、材料、体積、および幾何学的形状によってさらに規定され、そして該エラストマーブラダーの該材料、該体積、および／または該幾何学的形状が、分配される製品の量を変化させるために変動され得る、請求項３０に記載のシステム。
【請求項４１】
前記アクチュエータハウジングが、前記内壁と前記外壁との間に配置された実質的に円形の中間壁を有し、そして該中間壁が、一連の内側溝をさらに備え、前記ピストンカラーの前記一連の溝を通過しての前記スピンドルのさらなる線形移動を可能にする、請求項３０に記載のシステム。
【請求項４２】
前記ピストンおよび前記スピンドルが、組み合わせられて、第一の単一の構成要素を形成する、請求項３０に記載のシステム。
【請求項４３】
前記ピストンカラーおよび前記カラーキャップが、組み合わせられて、第二の単一の構成要素を形成する、請求項４２に記載のシステム。
【請求項４４】
加圧された分配システムの加圧アセンブリであって、以下：
第一のアセンブリであって、以下：
キャップ；
該キャップの近くに構成されるハウジング；
該ハウジングに構成されるピストン；
該ピストンと係合するよう構成されており、そして複数のねじ山を有する、スピンドル；および
複数の溝を有するカラーであって、該スピンドルの該ねじ山が、該カラーに対する該スピンドルの回転の際に、該カラーの該溝と係合して、該ハウジング内での該ピストンの線形移動を提供するよう構成されている、カラー；
を備える、第一のアセンブリ；ならびに
第二のアセンブリであって、該第一のアセンブリに係合するアクチュエータを備える、第二のアセンブリ、
を備える、加圧アセンブリ。
【請求項４５】
前記カラーが、前記溝を備える内壁を有する、請求項４４に記載の加圧アセンブリ。
【請求項４６】
前記ピストンが、前記ハウジング内で、第一の方向および第二の方向で線形移動するよう構成されている、請求項４４に記載の加圧アセンブリ。
【請求項４７】
前記ピストンが、前記第一のアセンブリに対する前記アクチュエータの回転の際に線形移動して、前記カラーに対する前記スピンドルの回転および前記ピストンの前記第一の方向での線形移動を提供するよう構成されている、請求項４６に記載の加圧アセンブリ。
【請求項４８】
前記ピストンが、前記第一のアセンブリに対する前記アクチュエータの逆回転の際に線形移動して、前記カラーに対する前記スピンドルの回転、および前記ピストンの前記第二の方向での線形移動を提供するよう構成されている、請求項４６に記載の加圧アセンブリ。
【請求項４９】
前記第一の方向が、前記ハウジングに対して上向きの方向であり、そして前記第二の方向が、該ハウジングに対して下向きの方向である、請求項４６に記載の加圧アセンブリ。
【請求項５０】
前記ピストンが、前記第一の方向での該ピストンの前記線形移動によって、製品を製品供給源から前記第一のアセンブリ内へと引き込むように構成されている、請求項４６に記載の加圧アセンブリ。
【請求項５１】
前記ハウジングと流体連絡したレザバをさらに備え、そして前記ピストンが、前記第二の方向での該ピストンに前記線形の移動によって、製品を前記第一のアセンブリから該レザバ内へと指向するよう構成されている、請求項４６または５０に記載の加圧アセンブリ。
【請求項５２】
前記第二のアセンブリが、前記レザバと流体連絡しており、そして前記レザバから該第二のアセンブリへと製品を引き込むよう構成されている、請求項５１に記載の加圧アセンブリ。
【請求項５３】
前記第二のアセンブリが、製品を分配するよう構成されている、請求項５２に記載の加圧アセンブリ。
【請求項５４】
前記カラーが、前記キャップに構成されている、請求項４４に記載の加圧アセンブリ。
【請求項５５】
前記カラーが、前記キャップと一体的である、請求項４４に記載の加圧アセンブリ。
【請求項５６】
前記スピンドルが、前記ピストンと一体的である、請求項４４に記載の加圧アセンブリ。
【請求項５７】
前記スピンドルの前記ねじ山および前記カラーの前記ねじ山が、第一の螺旋を規定する、請求項４４に記載の加圧アセンブリ。
【請求項５８】
前記第一の螺旋が、一重螺旋構成を規定し、そして前記ピストンが、該一重螺旋構成に対応する、前記ハウジング内での線形移動のために構成されている、請求項５７に記載の加圧アセンブリ。
【請求項５９】
前記第二のアセンブリが、複数のねじ山を有する壁をさらに備え、該壁の該ねじ山が、第二の螺旋を規定し、前記第一の螺旋および該第二の螺旋が、二重螺旋構成を規定する、請求項５７に記載の加圧アセンブリ。
【請求項６０】
前記壁の前記ねじ山が、前記第一のアセンブリと係合するよう構成されている、請求項５９に記載の加圧アセンブリ。
【請求項６１】
前記ピストンが、前記二重螺旋構成に対応する、前記ハウジング内での線形移動のために構成されている、請求項５９に記載の加圧アセンブリ。
【請求項６２】
前記ピストンが、前記第一のアセンブリに対する前記アクチュエータの回転の際に、前記ハウジング内で線形移動するよう構成されている、請求項５８または６１に記載の加圧アセンブリ。
【請求項６３】
前記ピストンが、前記カラーに対する前記スピンドルの回転の際に線形移動するよう構成されている、請求項６２に記載の加圧アセンブリ。
【請求項６４】
加圧アセンブリであって、以下：
ピストン；
該ピストンに係合するよう構成されており、そして複数のねじ山を有する、スピンドル；
複数の溝を有するカラーであって、該スピンドルの該ねじ山が、該カラーの該溝に係合し、該カラーに対する該スピンドルの回転の際に、該ピストンの線形移動を提供するよう構成されている、カラー、
を備える、加圧アセンブリ。
【請求項６５】
分配システムを加圧する方法であって、以下の工程：
アクチュエータを回転させる工程；
スピンドルの複数のねじ山のうちの少なくとも１つを、カラーの複数の溝のうちの少なくとも１つと係合させる工程；
該アクチュエータを回転させる該工程に応答して、該スピンドルを該カラーに対して回転させる工程；
該スピンドルを回転させる該工程に応答して、ハウジング内でピストンを線形移動させる工程；および
該分配システムを加圧する工程、
を包含する、方法。
【請求項６６】
前記ピストンを線形移動させる前記工程が、該ピストンを第一の方向および第二の方向で線形移動させる工程を包含する、請求項６５に記載の分配システムを加圧する方法。
【請求項６７】
前記アクチュエータを回転させる前記工程が、前記第一の方向に対応する回転で該アクチュエータを回転させる工程を包含する、請求項６６に記載の分配システムを加圧する方法。
【請求項６８】
前記アクチュエータを回転させる前記工程が、前記第二の方向に対応する逆回転で該アクチュエータを回転させる工程を包含する、請求項６６に記載の分配システムを加圧する方法。
【請求項６９】
前記ピストンを前記第一の方向および前記第二の方向で線形移動させる前記工程が、該ピストンを、前記ハウジングに対して上向きの方向および該ハウジングに対して下向きの方向で線形移動させる工程を包含する、請求項６６に記載の分配システムを加圧する方法。
【請求項７０】
製品供給源から前記ハウジングへと製品を引き込む工程をさらに包含する、請求項６６に記載の分配システムを加圧する方法。
【請求項７１】
前記引き込む工程が、前記第一の方向での前記ピストンの線形移動によって提供される、請求項７０に記載の分配システムを加圧する方法。
【請求項７２】
前記ハウジングから、該ハウジングと流体連絡するレザバ内へと製品を指向す工程をさらに包含する、請求項７０に記載の分配システムを加圧する方法。
【請求項７３】
前記指向する工程が、前記第二の方向での前記ピストンの線形移動によって提供される、請求項７２に記載の分配システムを加圧する方法。
【請求項７４】
前記レザバからアクチュエータアセンブリへと製品を引き込む工程をさらに包含する、請求項７２に記載の分配システムを加圧する方法。
【請求項７５】
前記アクチュエータアセンブリから製品を分配する工程をさらに包含する、請求項７４に記載の分配システムを加圧する方法。
【請求項７６】
前記ピストンを線形移動させる前記工程が、前記ねじ山および前記溝によって規定される螺旋に対応する一重螺旋構成に対応して、前記ピストンを線形移動させる工程を包含する、請求項６５に記載の分配システムを加圧する方法。
【請求項７７】
前記ピストンを線形移動させる前記工程が、前記スピンドルの前記ねじ山および前記溝によって規定される螺旋およびアクチュエータアセンブリのねじ山によって規定される螺旋に対応する二重螺旋構成に対応して、該ピストンを線形移動させる工程を包含する、請求項６５に記載の分配システムを加圧する方法。
【請求項７８】
分配システムを加圧する方法であって、以下の工程：
アクチュエータを回転させる工程；
該アクチュエータを回転させる該工程に応答して、スピンドルを回転させる工程；
該スピンドルを回転させる該工程に応答して、ピストンを線形移動させる工程；および
該分配システムを加圧する工程、
を包含する、方法。
【発明の詳細な説明】
【技術分野】
【０００１】
（関連出願の引用）
本願は、米国非仮出願０９／９３３，５７４（２００１年８月２０日出願）、表題「非化学的エアロゾルディスペンサ」の優先権を主張し、これは本明細書中で参考として援用される。
【０００２】
（技術分野）
本発明は、一般に、ディスペンサに関し、より詳細には、機械的に加圧されるエアロゾルディスペンサに関する。本発明は、特に、使用者により手動で充填されるディスペンサに適用可能である機械加圧式分配システムを提供する。さらに、本発明は、特に、加圧式ディスペンサからエアロゾルとして物質を分配することに適用可能であり得る。
【背景技術】
【０００３】
（背景）
エアロゾルディペンサは、５０年以上使用されており、その使用の簡便さの理由のために、人気が上昇し続けている。しかし、これらのディスペンサの多くは、製品を加圧するために、化学噴霧剤（クロロ−フルオロカーボン化合物および炭化水素化合物を含む）に頼っている。化学加圧剤の使用は、特定の問題（加圧容器（しばしば可燃性の容器）の充填、輸送、取り扱い、貯蔵、使用および廃棄に関する安全性を含む）を生じる。別の一連の懸念としては、地球の生体系（オゾン層を含む）に対する特定の加圧化学剤の影響に関する問題、および揮発性有機化合物の大気中への放出の影響に関する問題が、挙げられる。従って、化学噴霧剤を使用しないが、化学充填式ディスペンサに伴う使用の簡便性も保持しているエアロゾルディスペンサの開発に非常に関心がもたれている。
【０００４】
化学加圧式エアロゾルディスペンサの代替物には、フィンガーポンプおよびトリガを使用する種々の機械加圧式モデルがある。これらは、代表的に、連続した噴霧を生成するために連続した強力なポンピングを必要として、結果として、使用するのが不便である。さらに、噴霧の持続時間は、ほとんどの場合、（１）ポンプまたはトリガの行程の長さ、（２）ほとんどの場合、噴霧圧力が、発射サイクルの間に一定に保たれず、このサイクルの終わり近くに迅速に減少し、この噴霧が湿ったストリームまたは液滴になるという事実、および（３）このデバイスが一般に、直立位置で操作されなければならないという事実、によって制限される。さらに、フィンガー作動式ポンプは、化粧品およびヘアスプレーのような製品と共に使用するための細かい霧または適切に微粒化された噴霧を生成し得ない。結果として、このようなデバイスは、化学加圧式エアロゾルディスペンサに対する簡便で、さらに安全な代替物を提供する課題を部分的にしか解決しない。
【０００５】
化学加圧式ディスペンサに対する他の代替物としては、化学噴霧剤を使用することなく装填（ｃｈａｒｇｅ）を蓄積することにより延長した噴霧時間を得る種々の機械加圧式モデルが挙げられる。このような「蓄積（ｓｔｏｒｅｄ）装填」ディスペンサとしては、組み立て時に機械的に加圧されるタイプ、および使用時間にオペレータによって機械的に加圧され得るタイプが挙げられる。
【０００６】
組み立て時に加圧される蓄積装填ディスペンサは、しばしば、製品をポンピングするブラダーを備える。例としては、米国特許第４，３８７，８３３号および同第４，４２３，８２９号に記載されるものが挙げられる。
【０００７】
使用時間にオペレータにより加圧される蓄積発射薬ディスペンサは、代表的に、ねじにより装填される装填チャンバ、カム、レバー、ラチェット、ギヤー、およびチャンバ内に含まれる製品を加圧するための機械的利点を提供する他の構成を備える。このタイプのディスペンサは、「装填チャンバディスペンサ」と称される。多くの独創的な充填ディスペンサが、製造されている。例としては、米国特許第４，８７２，５９５号（Ｈａｍｍｅｔｔら）、米国特許第４，２２２，５００号（Ｃａｐｒａら）、米国特許第４，１７４，０５２号（Ｃａｐｒａら）、米国特許第４，１６７，９４１号（Ｃａｐｒａら）、および米国特許第５，１８３，１８５号（Ｈｕｔｃｈｅｓｏｎら）（これらは明確に本明細書中で参考として援用される）に記載されるものが挙げられる。
【０００８】
いくつかの従来の蓄積装填ディスペンサは、フィンガーポンプまたはトリガディスペンサの問題点のいくつかまたは全てを回避するが、この蓄積装填ディスペンサは、その固有の欠点を有する傾向がある。組み立て時に加圧されるデバイスにおいて、装填チャンバは、しばしば、製品（時間が経つにつれて分解する）の寿命の間に装填されたままである弾性ブラダーであり、そしてこれらのデバイスは、代表的に、製品で再充填され得ない。使用時にオペレータにより加圧されるデバイスにおいて、装填チャンバデバイスは、膨大な数の関連のある作業部品が必要であること、および／またはこれらが大量で高収率の射出成形製造技術にそれほど適していない部品から構成されているという事実、および／またはこれらを特別に設計された容器と共に用いる必要があるという事実、に起因して、製造するのが比較的困難であった。
【０００９】
これらの欠点により、装填チャンバディスペンサは、高価になりかつ大量市場適用に商業的に可能ではなくなる傾向があり、そして他の蓄積装填ディスペンサは、化学加圧式ディスペンサの完全に十分な代替物よりも劣る傾向がある。従って、現存の蓄積装填ディスペンサおよび装填チャンバディスペンサは、化学加圧式エアロゾルディスペンサに対する簡便でさらに安全な代替物を提供する課題を部分的にしか解決しない。
【発明の開示】
【発明が解決しようとする課題】
【００１０】
本発明は、特定の改良点を有する装填チャンバディスペンサであり、その結果、本発明は、使用の簡便性と商業的利用可能性とを結びつける。本発明は、結局、一般的に化学エアロゾルに付随する所望の特徴を保持する非化学エアロゾルディスペンサ、ならびに従って、幅広いメーカーおよび顧客の受入れを達成し得る非化学エアロゾルディスペンサである。
【課題を解決するための手段】
【００１１】
（発明の開示）
従って、本発明の機械加圧式エアロゾル分配システムは、好ましい実施形態の１つにおいて、本質的に以下から構成される：（ａ）ピストンを収容するキャップ；（ｂ）このキャップに移動可能に取り付けられたアクチュエータ（このキャップと一緒になって、分配ヘッドアセンブリを形成する）；および（ｃ）拡大可能な弾性レザバ。このシステムは、液体製品を保持する標準的な容器の上に固定され、そして液体をこの分配ヘッドアセンブリに吸い出すための浸漬管アセンブリを備え、この分配ヘッドアセンブリは、内容物をこの分配ヘッドアセンブリから放出するためのエアロゾルノズルおよび弁を備える。
【００１２】
このキャップおよびアクチュエータ上の相補型ねじは、選択的に傾けられ、その結果、ねじ切りキャップの短いねじれが、ピストンを持ち上げ、この分配ヘッドアセンブリ内で装填チャンバを開放する。これは、真空を生成し、この得られた吸引は、浸漬管を通して製品を上に引き上げ、装填チャンバを満たす。このキャップを反対方向にねじることにより、ピストンは上から下に下がり、これにより装填チャンバが閉じられ、この製品を拡大可能な弾性レザバに押し入れる。このレザバは、加圧下で拡大し、次の発射のための製品を保持する。ボタン（これはキャップ中の標準的な弁アセンブリの一部である）を押すと、この製品がノズルを通って放出される。
【００１３】
上で簡単に概説されるこのシステムの一般的な働きは、以下を含むいくつかの特定の改良点により増大される：（ａ）スナップイン（ｓｎａｐ−ｉｎ）ピストンの使用（この結果、このピストンおよびキャップは、別々に成形され、各々の異なる材料およびより簡単な成形形態を可能にする）；（ｂ）分配ヘッドアセンブリとは異なる部品の容器の使用（この容器の簡単な充填を可能にし、通常のビンおよび標準的なビン詰め技術を利用する）；（ｃ）レザバ、ピストンおよびアクチュエータの使用（浸漬管を下から上のサイクルで密閉するための一方向弁機構を確立し、そしてまた、未分配の製品を容器に戻すための排出戻しメカニズムを確立する（どちらかの機能のために余分な部品を必要とすることなしで）という、さらなる利点を現実化するような様式で）；（ｄ）ピストン密閉メカニズムの使用（これは、キャップおよびアクチュエータの機械的ねじれ運動を容易にするように、低い摩擦係数を維持しつつ、気密シールを生成する）；および（ｅ）二方向弁機構の使用（ノズルの後ろに製品が蓄積することも防ぎつつ、滴下または漏出を軽減するポジティブな遮断を提供するため）。
【００１４】
これらおよび他の特定の改良点（および他の実施形態）は、以下でより詳細に記載され、その有意性が説明される。要約すると、改良点は、非化学エアロゾルを生じる本発明のシステム（これは任意の位置／方向から、逆さまでさえ働き、起動のためのフィンガーポンプを必要とせず、そして広く種々の標準的な使い捨て容器または再使用可能容器に固定され得る）におけるもののような要素の協働作用である。さらに、本発明のシステムは、より長い持続時間の噴霧および細かく微粒化された高圧噴霧を生成し、この長い持続時間の噴霧は、サイクルの終わり近くに湿ったストリームまたは液滴にならず、そしてこの微粒化された高圧噴霧は、装填するための過度の機械的力を取らない。本発明のシステムは、単純であり、そして比較的少ない部品しか使用せず、この部品の全ては、現存の材料から容易に製造され得、そして現存の成形技術を用いて射出成形され得る。
【００１５】
本発明のシステムの特定の目的は、非化学エアロゾルディスペンサが化学加圧エアロゾルディスペンサの代替物として広範に受入れられることが現在まで妨げられていた問題の実質的に全てを解決することである。
【００１６】
（発明を実施するための様式）
上記の要旨に注意をはらうと、以下の説明において、ここで本発明の多数の特定の実施形態の徹底的でかつ詳細な考察を提供することは、本発明の進歩性のある特徴を十分に理解する際に有用であり得る。
【００１７】
最も一般的には、例示の目的のための図面全体にわたって多様に示されるように、概要において、非化学エアロゾルディスペンサシステム（一般的には、例えば、図９で示されるように、ディスペンサシステム１０として示される）は、一般に、アクチュエータアセンブリ２０（図２および図３においては、アクチュエータハウジング２２なしで示される）を備え得ることが見られ得る。ディスペンサシステムの実施形態は、カラーキャップアセンブリ４０を備え得、このカラーキャップアセンブリ４０は、図９において、スピンドル４６と共に、円筒形ハウジング５０と連結されたピストン４４を収容するねじ切りカラーキャップ４２、ピストンカラー４８、および拡大可能な弾性レザバ６０を備えるように示される。円筒形ハウジングは、いくつかの好ましい実施形態において設けられるが、他の形状のハウジング５０が、本発明に従って設けられ得る。
【００１８】
図７、図９および図１１に示されるように、一般的にディスペンサシステム１０と言及されるシステムは、標準的な容器７０のカラー上に固定される。以下で考察される開示される実施形態の全てにおいて、容器７０は、任意の標準的な容器であり得、そしてこのよう容器７０は、最小のガス圧に耐えるように特別に作製される必要はない。容器７０は加圧されないので、この容器７０はまた、円筒形または円形である必要もなく、重いかまたは厚い材料で構築される必要もない。実際に、容器７０には外観的形状の制限はなく、従って、ディスペンサシステム１０は実質的に無制限の範囲の可能な消費用途（食品と共に使用される可能性を含む）を有し得る。さらに、容器７０は、使い捨てまたは再使用可能であり得、そしてこの容器７０は、当業者に公知の通常の技術を用いて、容易に充填および再充填され得る。さらに、化学噴霧型エアロゾルとは異なり、本発明は、広く種々の粘度、表面張力、組成などにより特徴付けられる広く種々の製品に容易に適合可能であり、そして本発明はさらに、広く種々の製品特異的または消費者特異的なパッケージングオプションで構成され得る。このような容器の互換性は、当業者に周知であり、本明細書中ではさらに記載しない。
【００１９】
以下で考察される開示される実施形態の拡大可能な弾性レザバ６０は、図７、図９および図１１に示され、そしてエラストマーブラダーとして記載されるが、これは、加圧下で拡大し得、従って力を蓄える任意の種類のレザバであり得る。従って、レザバ６０は、本発明のいくつかの実施形態のエラストマーブラダーだけでなく、より一般的には、液圧下でレザバを抵抗的に拡大するための手段（弾性レザバ容器だけでなく、ばね負荷式ピストンから構成される構造体、ならびに剛性および半剛性のレザバ容器（可撓性材料内に埋め込まれたかまたは可撓性材料に固定されたばねを有する容器を含む）内に取り付けられた等価なデバイスを含む）を意味することが理解されるべきである。実際に、ばね負荷式レザバは、それほど高価ではない構成要素の代わりにもなる実施可能な代替物を表す。しかし、このような構造体は、当業者に周知であり、本明細書ではさらに記載しない。
【００２０】
本発明のいくつかの実施形態が、ここで開示され、この各々は、相互接続された構成要素の群を含み、そしてこれら各々は、図５〜９および図１１〜１３で多様に示され、上記で示され得るように、取付け具２６と共に取付け具２４を使用して、標準的な容器７０、エラストマーブラダー６０、およびアクチュエータアセンブリ２０をさらに備える。
【００２１】
設計に組み込まれ得る特徴を有し、二重螺旋作用（ＤＨＡ）を有すると言及される一実施形態は、図５〜７に示される。設計に組み込まれ得る特徴を有し、一重螺旋作用（ＳＨＡ）を有すると言及される第二の実施形態は、図８および図９に示される。両方の実施形態は、一般的な構成要素から構成され得、ここで個々の構成要素のいくつかの形状はわずかに異なる。特に、両方の実施形態は、図７および図９に一般的に例示されるように、ピストンヘッド５７および円筒形ハウジング５０を組み込み、これらの各々は、そのそれぞれの直径において、以前の特許のディスペンサについて開示されたものより小さく、これにより、ＤＨＡおよびＳＨＡの実施形態は、以前の特許のディスペンサにより生成されるものよりも長い上向き穴および下向き穴の行程を生成し得る。これらのより長い穴の行程は、本発明のいくつかの好ましい実施形態の効率に重要であると考えられ得る。これらのより長い行程により、追加の製品が最初に、液圧により円筒形ハウジング５０に吸い出され得、次いで、エラストマーブラダー６０に押し出され得、従って、最終的に、この製品は、以前の特許のディスペンサにより生成されるものより長い持続性の噴霧で分散し得る。さらに、それぞれより小さい直径を有するピストンヘッド５７および円筒形ハウジング５０を特徴とするＤＨＡおよびＳＨＡの実施形態は、ピストン４４を上から下への運動に対して働く摩擦力に打ち勝つために、より小さな力の付与しか必要とせず、従って、使用者は、ＤＨＡおよびＳＨＡの実施形態をより容易に操作することが可能となり、従って、他の限定的な身体状態、すなわち、関節炎を有する広範な使用者に適合する。
【００２２】
図１１〜１３に示され、そして第二のＳＨＡの実施形態と呼ばれる第三の実施形態は、図８および図９の前記のＳＨＡの実施形態よりも少ない構成要素を使用して製造され、そしてこれは、それぞれ、図８および図９のＤＨＡの実施形態またはＳＨＡの実施形態のいずれかよりもわずかに大きい直径を有する、ピストンヘッド２５７および円筒形ハウジング２５０を特徴とする。第二のＳＨＡ設計の好ましいいくつかの実施形態において、ピストンヘッド２５７および円筒形ハウジング２５０は、ＤＨＡおよび第一のＳＨＡの実施形態のピストンヘッド５７およびピストンハウジング５０（これはいくつかの好ましい実施形態において、約０．７８２インチの寸法の直径を有し得る）と比較した場合、約１．０インチの直径を有する。いくつかの実施形態においては、ピストン２４４のねじおよびピストンカラーキャップ２４５の溝のサイズおよび間隔が、他の実施形態のスピンドル４６、１４６およびピストンカラーキャップ４８、１４８の溝のサイズおよび間隔に対して同時に変わらないままで、各構成要素２５０、２５７の直径のこの増加は、ピストン２４４の長さおよび円筒形ハウジング２５１の長さを変わらないままにする。このわずかな改変を作製することにより、第二のＳＨＡの実施形態は、エラストマーレザバ６０中に最終的に装填される製品の量を増大させ得、従って、起動時の生成物の噴霧の持続時間を増加させる。
【００２３】
さらに、ピストンヘッド２５７のサイズの増加により、使用者は、ピストン２４４の上から下への運動に対して作用する摩擦力に打ち勝つためにより大きな力を適用する必要があり得るが、第二のＳＨＡの実施形態は、いくつかの好ましい実施形態において、エラストマーレザバ６０を完全に装填するためにそのアクチュエータハウジング２２２の１回転しか必要としない。それに対して図７および図９に示されるより小さいヘッド５７の両方の場合には、アクチュエータハウジング２２、１２２の１３／４回転を必要とする。これら３つの実施形態において、それぞれのピストンヘッド５７、２５７、および円筒形ハウジング５０、２５０の開示される直径は、本発明の種々の実施形態の例示である。当業者は、本発明に従って、ピストンヘッド５７、２５７および円筒形ハウジング５０、２５０の相対直径サイズを変えることによって、容器７０から液圧式に吸い出され、そしてエラストマーレザバ６０に入れられる製品の量が、それに従って変化することを理解する。あるいは、スピンドル４６、１４６のねじおよびピストンカラーキャップ４８、１４８の溝の相対ピッチの変化、ならびに／またはピストン４４または円筒形ハウジング５０の相対長さの変化もまた同様に、当業者が本発明を理解する際に認識するように、および以下でより詳細に考察されるように、最終製品の排出量を変える。
【００２４】
一般に、いくつかの実施形態において、および図５〜７に示されるＤＨＡの実施形態ならびに図８および図９に示されるＳＨＡの実施形態の両方において、以下は、各実施形態の構成要素である：アクチュエータハウジング２２、取付け具２４、取付け具２６、アクチュエータ２８（図８、図１２、図１３、図１５および図１６において示されるようないくつかの実施形態においては、機械崩壊ユニットＭＢＵと呼ばれる）、弁棒シール３０、ばね弁保持装置３２、カラーキャップ４２、１４２、ピストン４４、スピンドル４６、１４６、ピストンカラー４８、１４８、円筒形ハウジング５０、レザバブラダー６０およびオーバーキャップ８０。図７および図９の実施形態に示されるようなアクチュエータアセンブリ２０、１２０は一般に、アクチュエータハウジング２２、１２２、取付け具２４、取付け具２６、アクチュエータ２８、弁棒シール３０、およびばね弁保持装置３２を備える。このようなアクチュエータアセンブリは、製品が分配される排出通路を作製する。これは、完全に一定のパターンで分配され、次いで急激に遮断する製品を生じ、圧力が低下した場合に無視できる製品の滴りを可能にし、そして弁の後ろに蓄積される製品を最小限にし得る。
【００２５】
一般的に図面ならびに特に、図９および図１０を参照すると、以前に記載された実施形態と共通する本発明の１つの新規の特徴は、弁機構３４の導入である。この弁機構３４は、弁棒シール３０およびばね弁保持装置３２から構成され、この弁機構３４の上に、自動アクチュエータ２８が配置される。一旦、このレザバブラダー６０が所望の容量まで装填されると、この弁機構３４は、起動の準備ができ、起動は、アクチュエータ２８上のボタン２９が押された場合に生じ、従って、レザバ６０の内容物が排出される。新たな弁機構３４の２つの構成要素３０、３２は、以前に開示された他のエアロゾル弁のほとんどにおいて標準的であった５個の構成要素を本質的に置き換える。従来の設計に共通して、棒弁が、アクチュエータが基部縁の２つのウイングを介して弁作用を防止するための位置にロックまたは保持される間、ばね弁保持装置内にちょうど配置され、これは上部本体構造に成型されるウインドウに留めることによりアセンブリを保持する。この新たな弁機構３４は、弁棒シール３０（これはばね弁保持装置３２内のポケット中に収縮する球形の外形の先端部３３を有する）の形状によりこれらの不必要な保持手段を排除し、従って、それ自体を永久的に保持するように配置する。ばね弁保持装置３２内の弁棒シール３０の保持をさらに助けるのは、弁棒シール３０の下向きの圧力により収縮し、そして弁棒シール３０の外側リップ３７を係合する板ばね３５である。
【００２６】
図７、図９および図１１を参照すると、アクチュエータハウジング２２、１２２、２２２およびカラーキャップ４２、１４２、２４２は、このディスペンサシステム１０の加圧メカニズムの一部である。好ましい実施形態において、構成要素２２、１２２、２２２および４２、１４２、２４２の各々は、本質的に、円形であり、そしてディスペンサシステム１０の構成要素の残り（取付け具２４および取付け具２６以外）と一緒になって、共通の垂直軸の周りに対称的に配置される。アクチュエータハウジング２２、１２２、２２２およびカラーキャップ４２、１４２、２４２の各々はまた、消費者による滑らない把持を容易にするように、そのそれぞれの円形外壁２１、１２１、２２１および４１、１４１、２４１の上の交互に溝付けされた表面を特徴とする。いくつかの好ましい実施形態において、システムの使用者が、アクチュエータハウジング２２、１２２、２２２の外壁２１、１２１、２２１を片手で把持し、カラーキャップ４２、１４２、２４２の外壁４１、１４１、２４１、または容器７０を片手で把持し、そしてアクチュエータハウジング２２，１２２，２２２を反時計回りにねじるように処理する場合、この加圧メカニズムは作動する。図７、図９および図１１の実施形態において、この加圧メカニズムは、さらに以下で記載されるようにして、さらに作動され、そしてねじる工程は、反時計回り方向について前に記載されたのと同じである。すなわち、アクチュエータハウジング２２、１２２、２２２の作用は、逆にされる。すなわち、これは、時計回りにねじられ、一方、カラーキャップ４２、１４２、２４２または容器７０は、ディスペンサシステム１０の加圧またはプライミングを完了するために保持される。
【００２７】
図７、図９および図１１の実施形態において、アクチュエータハウジング２２、１２２、２２２のはめ込み上部リップ８１は、システム１０が貯蔵されている間またはこれが輸送されている間に、起動ボタン２９を偶発的な放出から保護するためにオーバーキャップ８０が設けられる係合手段を作製する。このような係合手段は、オーバーキャップ８０がアクチュエータハウジング２２、１２２、２２２に固定して取り付けられ、さらにまた、ディスペンサシステム１０の操作のために容易に取り外されることを可能にする種々の機械特性のいずれかであり得る。このような係合手段は、当業者に周知であり、本明細書中でさらに議論しない。
【００２８】
図５〜７を具体的に参照して、ＤＨＡモデルのアクチェータハウジング１２２は、内側環状壁１２３を有し、この内側環状壁１２３は、アクチュエータアセンブリ１２０のばね弁保持装置３２部分が配置されるその外周内に空間を規定する。この内側環状壁１２３の外周内の空間は、ばね弁保持装置３２の直径よりも僅かに大きい直径によって規定され、その結果、システム１０の作動時に、２つの構成要素１２３、３２間の最小の摩擦力を生じる、２つの構成要素１２３、３２間の最小のクリアランスが存在する。アクチェータハウジング１２２の溝付きの外側環状壁１２１と内側環状壁１２３との間に、その長さが外側壁１２１の下に延びるが、内側壁１２３の長さより下に延びない、中間環状壁１２５が存在する。中間壁１２５は、ねじ切りされ、加圧機構の成立の間に観察される「二重」螺旋動作を生じる特徴は、以下にさらに詳細に記載される。
【００２９】
本発明の種々の実施形態において、加圧機構は、図６に一般に示されるように、ピストン４４の上方移動によって生じる第一の動作によって最初に係合される。これらの図において具体的に示されるように、第一の動作は、使用者が、このアクチェータハウジング１２２を捻る外部回転力を適用して、内側環状壁１２３の溝１２４をスピンドル１４６のリブ１４７に係合し、それによって、スピンドル１４６の回転を提供する場合に、発生する。結果として、使用者がアクチェータハウジング１２２を捻る外部回転力を適用する場合、中間壁１２５のねじ山１２６は、ハウジング５０の外側環状壁５１のラグ５８を係合する。いくつかの実施形態において、ラグ５８は、差込ラグ、ランプラグなどを含み得る。ねじ山１２６およびラグ５８の係合および構成は、アクチェータハウジング１２２がある方向に捻られるかまたは回転される場合に、アクチェータハウジング１２２の上方移動を提供する。さらに、ピストンカラー１４８のラグ１２７は、円筒形ハウジング５０の１つ以上の構成要素（例えば、ウインドウ）と係合し、そしてピストンカラー１４８のラグ１２８は、スピンドル１４６のねじ山１４５と係合して、アクチェータハウジングをある方向に捻ったときの、スピンドル１４６の上方移動およびピストン４４の線形移動を提供する。従って、スピンドル１４６に接続されたピストン４４は、ピストン４４およびスピンドル１４６の上方移動の間に、直線的に移動する。第一の動作の過程の間に、円筒形ハウジング５０からピストン４４およびスピンドル１４６が戻るにつれて、製品は、浸漬管アクセプターポート５４を介して容器７０から引き出され、そして円筒形ハウジング５０内に堆積される。第二の動作は、上記の機械的関係によって提供される、アクチェータハウジング１２２の逆方向の捻れならびに内側環状壁１２３およびスピンドル１４６の対応する回転、アクチェータハウジング１２２の下方移動、そしてスピンドル１４６およびピストン４４の下方移動および線形移動を開始する。スピンドル１４６および付属のピストン４４が下方に移動するにつれて、製品は、円筒形ハウジング５０から、エラストマーブラダー６０へと押しやられ、このように、起動ボタン２９が押される前に、ディスペンサシステム１０を準備する。当業者によって認識されるように、このようなシステム１０によって分配される製品の量および型は、スピンドル１４６のねじ山の間の間隔および／またはピッチ、ならびに接触しているピストンカラー１４８のラグの間の間隔および／またはピッチ、のいずれかを変化させることによって、変動され得る。
【００３０】
図７を続けて一般に参照すると、類似の変化がまた、アクチェータハウジング１２２の中間壁１２５上のねじ山の間の距離およびピッチに関してなされ得る。さらに、スピンドル１４６のねじ山および接触しているピストンカラー１４８のラグの間隔およびピッチ、ならびにアクチェータハウジング１２２の内部ねじ山および外部環状壁５１のラグ５８を変更することによって、種々の粘性、表面張力、処方などの製品が、種々の特定の適用のために選択され得る。これらのバリエーションは、ＳＨＡ実施形態を参照して、以下にさらに詳細に考察される。図７の実施形態において、上記の二重螺旋動作は、エラストマーレザバ６０内の製品の最大量の堆積、および最終的に分配される製品の最大量を生じる。
【００３１】
対照的に、図９は、基本的なＳＨＡモデルの中間壁２５が、加圧工程の間に、２つの構成要素（２２、４２）の間に、有意な程度の位置決めもまた提供しながら、アクチェータハウジング２２およびカラーキャップ４２の捻れをより効率的に促進するように、カラーキャップ４２の上部内壁４３を受容するように、実質的に平滑であり、そしてそのような形状にされることを示す。ＤＨＡ実施形態およびＳＨＡ実施形態の両方において、アクチェータハウジング１２２、２２の捻れは、ピストン４４に取り付けられたスピンドル１４６、４６を、ピストンカラー１４８、４８の溝に沿って上方または下方のいずれかへと、そのねじ山を介して進めさせ、従って、容器７０から製品を引き出し、それを最初に円筒形ハウジング５０内に堆積させ、次いでエラストマーレザバ６０内に最終的に堆積させて、ディスペンサシステム１０の充填を完了するために必要な力を、機械的に提供する。浮動トラックおよびレールシステム設計と一般に称されるこれらの実施形態に対する機械的利点は、最小の努力で、ＤＨＡ実施形態の２つの構成要素の一回の捻れ（またはＳＨＡ実施形態の１  ３／４の回転（これは、使用者による、より少ない力の付与を必要とする））は、実質的に長いボア行程を生じ、これは、大量の製品（これは、次いで容易に分配される）の獲得に転換される。この大量の製品は、次いで、システム１０中に蓄積された機械的充填が散逸する前に、長期間（例えば、いくつかの実施形態において１２〜１５秒間）にわたって一貫してスプレーされ得る。目詰まりしていない可撓性の表面アクチェータアセンブリの正確な遮断能力と組み合わせて、これは、化学的エアロゾルディスペンサ中にのみ歴史的に見出されるものに匹敵する分配品質を有する、機械的エアロゾルディスペンサ中に転換される。
【００３２】
図９を再び参照して、ＳＨＡ実施形態のカラーキャップ４２の上部内壁４３は、実質的に平滑であり、そして円筒形ハウジング５０が配置される構造を提供する、キャップ４２の内側内に形成される内部環状リム４５をさらに備える。このカラーキャップ４２はまた、その内側表面にねじ山を有する上部内壁４３から僅かに始まる、下部内部環状壁４７を提供し、その結果、このカラーキャップ４２は、所望の製品を収容する標準的な容器７０に螺合可能に接続され得る。
【００３３】
図９の参照を続けて、ＳＨＡ実施形態の円筒形ハウジング５０の外側環状壁５１は、ピストン４４、ピストンカラー４２およびスピンドル４６を受容するために十分大きい直径を有する空間を、その頂部に規定する。円筒形ハウジング５０の環状底部５３は、外部環状壁５１から内側に放射状に延びる。しかし、中実底部およびこの底部５３の内部環状縁部５５は、レザバブラダー６０が突出し、そしてピストン４４が最終的な静止位置に来る、内部空間を規定する。円筒形ハウジング５０は、ピストンカラー４８のいくつかの対応するラグ４９へのスナップフィット接続を可能にするいくつかのウインドウ５２（いくつかの実施形態では、ウイングラグとして提供される）を備え、その結果、ピストン４４およびスピンドル４６は、ピストンカラー４８のラグ１２８に沿って、上記ＤＨＡ実施形態について記載された移動と同様に、円筒形ハウジング５０内をしっかりと上下動し得る。
【００３４】
図９に示される円筒形ハウジング５０は、その底部から突出する浸漬管アクセプターポート５４、ならびにこの実施形態において、この浸漬管アクセプターポート５４から実質的に反対側になるように、約１８０°離れて位置するブリードバック特徴５６をさらに備える。アクセプターポート５４は、標準的な容器７０から円筒形ハウジング５０（ここから、分配サイクルの間にアクチェータアセンブリ２０を介して製品が上方に移動する）への、製品経路を提供する浸漬管（図示せず）が取り付けられることを可能にする。ブリードバック特徴５６は、過剰充填されたレザバ球６０が、標準的な容器７０へといくらかの製品を放出し戻すことを可能にし、従って、充填物の貯蔵の間の圧力を低減する。この実施形態において、ブリードバック特徴５６は、製造プロセスにおいて細片化された場合に、球６０から容器７０へ流体が移動する経路を形成するウェビングからなる錐体の頂点を有する形状で、円錐形である。当業者は、本発明のブリードバック特徴５６の幾何学が、流体の液滴のサイズおよび液滴が容器７０に戻る速度を制御することを認識する。広範なブリードバック特徴５６の幾何学的形状およびサイズは、各システムの目的および利用される製品の型（すなわち、粘性、処方など）に依存して選択され得る。
【００３５】
図９は、さらに、アクチェータハウジング２２の最初の捻れの際に円筒形ハウジング５０内のスピンドル４６に沿って上昇し、そしてアクチェータハウジング２２の逆方向の捻れの際に円筒形ハウジング底部５３上にピストンが静止するまで、円筒形ハウジング５０へと押し戻される、環状ヘッド５７上に配置された狭い管として、ピストン４４自体を示す。円筒形ハウジング５０内でのピストン４４の上下動は、上記のように、標準的な容器７０から円筒形ハウジング５０内へと製品を引き込むために必要な機械的な力を提供する。円筒形ハウジング５０から、この製品は、ピストン４４の下方移動の際に、エラストマーブラダー６０へと移動させられる。起動ボタン２９が押されると、この製品は、アクチェータアセンブリ２０を介して上に分配される。上記のように、スピンドル４６に接続されたピストン４４は、ピストンカラー４８のスナップフィットを介してカラーキャップ４２に接続されたアクチェータハウジング２２の捻れに起因して、円筒形ハウジング５０内を上下動する。この動作は、第一方向の場合のピストン４４およびスピンドル４６の上方移動、ならびに第二の逆方向の場合のピストン４４およびスピンドル４６の下方移動を提供する。
【００３６】
図８および９の参照を続けると、このＳＨＡ実施形態のレザバブラダーのリップ６１は、円筒形ハウジング５０の底部５３から上方に放射状に延びる直立壁５７内に配置されるが、一方、レザバブラダー６０の残りの部分は、底部５３の内部環状縁部５５によって規定される空間を介して突出する。ブラダー６０は、標準的な容器７０へと下に延びる。上記のように、ピストン４４およびスピンドル４６の下方移動の際に、レザバブラダー６０は、円筒形ハウジング５０内に作製される液圧差によって充填される。起動ボタン２９を押すことによる圧力解放の際に、レザバブラダー６０は、排出され、そして円筒形ハウジング５０内の液圧差の平衡化は、任意の過剰な製品が、標準的な容器７０内に分配されることを可能にする。ピストン４４の上方移動の際に、製品は、ポートアクセプター５４を通り、そしてこの製品が分配を待つ円筒形ハウジング５０へと移動する。オーバーキャップ８０（これは、アクチェータハウジング２２の上に延びるはめ込み外保持壁８１の上に配置される）は、使用前の不慮の排出から、ボタン２９を保護するためにのみ働く。
【００３７】
従って、それぞれのアクチェータハウジング２２、１２２、ピストンカラー４８、１４８、およびスピンドル４６、１４６上のねじ山パターンの幾何学を除いて、図５〜７および８〜９に例示されるようなＳＨＡ設計およびＤＨＡ設計の１つの実施形態は、一般に、上記と同様の構成要素を合わせて含み得る。これら２つの実施形態によって生じる利点は、以前に開示されたディスペンサの行程に対して、長いボア行程を得るために、両方の能力を含む。さらに、図５〜７に示されるＤＨＡ実施形態は、アクチェータハウジング１２２の１回の捻れ／回転と共に、そして円筒形ハウジング５０内のピストン４４およびスピンドル１４６の移動を２回生じる前後の放射状移動を利用して、従って、レザバブラダー６０の液圧充填をより容易に促進して、この機構を同時に下に移動させる２つのモードを介したねじ山−溝係合またはねじ山−ラグ係合に起因する、さらなる機械的利点を示す。さらに、いくつかの好ましい実施形態において、そしてこの行程が生じつつ、アクチェータハウジング１２２は、全行程の半分だけ、上方に移動する。
【００３８】
対照的に、図８〜９に示されるＳＨＡ実施形態は、ＤＨＡ実施形態において使用される同じ直径のピストン４４およびスピンドル４６の組み合わせを特徴とし得るが、いくつかの好ましい実施形態においては、上方モードの移動が取り除かれる場合に、行程の半分の減少によって区別され、それによって、必要な行程のもう半分についての残りの移動を提供するように、下方モードを推進する。しかし、他の幾何学的局面および機能的局面に関して、２つの実施形態は類似するとみなされ得る。
【００３９】
図１１、１２および１３に示される第二のＳＨＡ実施形態は、僅かに大きい直径のピストン２４４を特徴とし得る。この実施形態と、以前に記載されたＤＨＡ実施形態およびＳＨＡ実施形態との間の１つの差異は、この実施形態が、より少ない構成要素を特徴とし、従って、製造がより単純な製品を作製することである。好ましい第二のＳＨＡ実施形態において、ピストンヘッド２５７は、以前に記載されたＤＨＡ実施形態およびＳＨＡ実施形態のいくつかにおける約０．７８２インチの直径のピストンヘッド５７に対して、約１．０インチの直径を有し得る。再び、特定の直径が、いかようにも限定されないことが意図されるということに留意することが重要であり；むしろ、これらの構成要素のサイズの比例的な増大もしくは減少が、種々の製品適用に対応するので、ピストンヘッド５７、２５７および円筒形ハウジング５０、２５０の相対的な比例、ならびに／あるいはスピンドルもしくはピストン４６、１４６、２４４、およびピストンカラー４８、１４８、２４５の溝のねじ山の相対的な比例、ならびに／またはピストン４４、１４４、２４４の長さおよび円筒形ハウジング５０、２５０の長さの方が、より重要である。
【００４０】
特に、ＳＨＡ実施形態は、一般的ディスペンサシステム１０の主な機能および有利な特徴を保持しつつ、製造プロセスの間に、以前に記載された実施形態から個々の構成要素のいくつかを組み合わせることを特徴とし得る。図１１を参照して、ＤＨＡ実施形態およびＳＨＡ実施形態の両方のピストン４４およびスピンドル１４６、４６は、ねじ切りピストン２４４と称される単一の構成要素によって置換される。同様に、このＤＨＡモデルおよび基本的なＳＨＡモデルのピストンカラー１４８、４８およびカラーキャップ１４２、４２は、ねじ切りカラーキャップ２４２と称される単一の構成要素によって置換される。
【００４１】
図１１の参照を続けて、ねじ切りカラーキャップ２４２およびアクチェータハウジング２２２の両方が、以前に記載されたＤＨＡ実施形態およびＳＨＡ実施形態に対して、幾何学的に改変されたとみなされ得るが、これらの実施形態の間には、多数の類似性が存在する。図１１のねじ切りカラーキャップ２４２およびアクチェータハウジング２２２は、なお、使用者による滑らない握りを容易にするために、そのそれぞれの環状外壁の代替的な溝付き表面を特徴とする。従って、加圧機構のこの部分は、以前に記載された実施形態の同様の特徴に類似する。さらに、ねじ切りカラーキャップ２４２は、所望の製品を収容する標準的な容器７０と螺合により接続されることが必要な内部ねじ切りを保持し得る。
【００４２】
図１１はまた、いくつかの実施形態において、アクチェータハウジング２２２が、外部環状壁２２１および内部環状壁２２３のみを特徴とし得ることを例示する。内部環状壁２２３内に規定された空間は、以前に記載されたＤＨＡ実施形態およびＳＨＡ実施形態と同様に、それ自体が弁棒シール３０（図７および９に示される他の実施形態に匹敵する）を受容する、ばね弁保持装置３２を受容する。ねじ切りピストン２４４は、ねじ切りカラーキャップ２４２の下部内部環状壁２４５の内部ねじ切りを上方に移動する。ねじ切りカラーキャップ２４２の下部内部環状壁２４５は、外部環状壁２４１の下に延びる、それぞれ、以前に記載されたＳＨＡ実施形態およびＤＨＡ実施形態の、ねじ切りカラーキャップ４８、１４８に関して、類似の様式で作用する。さらに、ねじ切りカラーキャップ２４２は、アクチェータハウジング２２２の外部環状壁２２１と内部環状壁２２３との間に形成される輪状空間によって規定される輪状空間内に位置する、ＳＨＡ実施形態の一部として図９に示される上部内部環状壁４３に類似する、上部内部環状壁２４３を特徴とする。最後に、図１１に示される第二のＳＨＡ実施形態の円筒形ハウジング２５０の幾何学は、ＳＨＡ実施形態およびＤＨＡ実施形態の両方の円筒形ハウジング５０とは異なる。以前に記載されたＳＨＡ実施形態のねじ切りカラー４８のラグ４９に係合するためのウインドウ５２を備える代わりに、これは、ねじ切りカラーキャップ２４２に取り付けられる位置決め手段を提供する、その上部端部を取り囲む保持リップ２５９を有する、実質的に平滑な外側環状壁２５１を特徴とする。
【００４３】
図１１に示されるＳＨＡ実施形態のいくつかの構成要素に関して、このディスペンサシステム１０は、作動時および製造時の両方において、より単純であるとみなされ得る。さらに、ディスペンサシステムの他の実施形態は、以前に記載された実施形態に関して、あまり複雑でない機械的関係および部品の機能、ならびにあまり複雑でない製造を提供し得る。このようなディスペンサシステムの一例は、図１５および１６に示されるＳＨＡ実施形態である。従って、そして以前に記載された実施形態の類似の特徴と一致して、このディスペンサシステムは、カラーキャップ３４２の内壁のねじ山に係合する、ねじ山を有し、そしていくつかの好ましい実施形態では、示されるようにねじ切りされたその長さの一部のみを有する、ねじ切りピストン３４４を有する。いくつかの好ましい実施形態において、ねじ切りピストン３４４は、ショルダー３４６を有する。カラーキャップ３４２は、垂れ下がった円筒形ハウジング部分３５０をさらに提供する。円筒形ハウジング部分３５０は、カラーキャップ３４２の一部でありかつこれと一体であり、ディスペンサシステムの部品の数を減少させる。このカラーキャップは、さらに、ショルダー３４６に対応するショルダー３４８をさらに提供し得、ショルダー３４６は、ピストン３４４がアクチェータハウジング３２２の回転によって完全に延びる場合に、ショルダー３４８に対して静止する。
【００４４】
いくつかの実施形態において、カラーキャップ３４２は、カラーキャップシリンダーと称され得、これは、以前に記載された実施形態のシリンダーハウジングの機械的関係および機能と一致するシリンダーハウジングとして働く。図１５および１６のディスペンサの機能および利点は、以前に記載された他のＳＨＡ実施形態の機能および利点と一致する。しかし、まとめると、ピストン３４４を用いて構成されたアクチェータハウジング３２２の回転は、他の種々の実施形態において示され、そして以前に記載されたような機械的関係によって、ピストン３４４の回転をもたらす。アクチェータハウジングの第一方向での回転は、ピストン３４４の上方移動を生じ、円筒形ハウジング部分３５０中に製品を引き込む。アクチェータハウジングの第二方向での回転は、ピストン３４４の下方移動を生じ、ブラダーへの製品の引き込みおよびディスペンサシステムの排出をおしすすめる。
【００４５】
さらに、通気システムもまた開示される。以前に記載された実施形態は、全て、通気システムを備え得ること、そしていくつかの好ましい実施形態においては、ディスペンサシステム１０は開いている（すなわち、液圧による準備の間に生じる減圧条件を相殺するために、分配シークエンスの補給サイクルの間に製品が分配される場合、周囲の空気が置換される必要がある）と考えられるので通気システムが必要とされることが、最初に言及されるべきである。図１１に示されるような、第二のＳＨＡ実施形態に組み込まれる通気システムが、最も有効である。図１２、１３および１４を参照して、この通気システムは、約１８０°離れて位置する一対の通気穴２９０、および一対の螺旋チャンバ（上部螺旋チャンバ２９２および下部螺旋チャンバ２９４）を備え得る。この通気システムはまた、図１１に最良に示されるように、上部内部環状壁２４３中に通気口２４３ａを備え得る。機能的に、通気穴２９０が開いている場合、すなわち、ねじ切りピストンがその下方移動の頂点にある場合、周囲の空気が、ディスペンサシステム１０内に入ることを可能にし、従って、液圧による準備によって生じる減圧条件の相殺を確立し、システム１０内の平衡条件を再生する。周囲の空気は、上部螺旋チャンバ２９２に入り、そしていくつかの好ましい実施形態においてはウインドウからラッチの構成として提供される、ねじ切りカラーキャップ２４２と円筒形ハウジング２５０との接続を介して達する。ねじ切りピストン２４４のねじ山が、ねじ切りカラーキャップ２４２の下部内部環状壁２４５の内部ねじ山を上下動する場合に、周囲の空気はまた、円筒形ハウジング２５０とねじ切りカラーキャップ２４２の底部環状内壁２４５との間の界面の螺旋ねじ山２９６間で交換される。空気交換特徴を有する螺旋ねじ山２９６の入れ子作動は、このシステムの機能が周囲環境外側に対して、容器７０内の圧力平衡を維持する際の補助に寄与するのを促進し、そして同時に、分配行程および補給行程を通じた空気交換を可能にする。
【００４６】
図１２、１３および１４の参照を続けると、通気穴２９０の開口によってのみ、上記２つの状況が生じ、いくつかの実施形態においては、上記入れ子作動の間の約９０°の回転毎生じる。この実施形態の各サイクルにおいて、このサイクルを通じて開いているかまたは閉じている通気穴２９０を介して、約１５秒間の持続期間のスプレーを送達する、前方および後方への完全な回転のみが存在する。従って、このシステム１０は、ねじ切りピストン２４４が完全に引き込まれている期間の間、シールされた「通気口が閉じた」位置にあるままである。この理由のために、このシステム１０は、ピストンが完全に延びたモードで、容器７０へとアセンブルされ得、そしてこの同じ構成でシールされた容器として使用者に出荷される。
【００４７】
いくつかのディスペンサ実施形態が、穴、通気口などの通気要素との組み合わせで、そして図１５および１６に示され得るような、ガスケット３５２を有する以前に記載された機械的動作および入れ子動作と組み合わせて、ガスケットを組み込む、複数の部品の通気システムとして通気システムを提供し得る。代替的実施形態は、図１１〜１４の実施形態において提供されるような、以前に記載された機械的動作および入れ子動作を主に介した、開構成および閉構成を提供するひとつながりの設計を提供し得る。
【００４８】
上記から容易に理解され得るように、本発明の基本的概念は、種々の方法で具体化され得る。本発明は、方法およびプロセス、ならびに装置およびデバイスの両方を含む。この適用において、実施形態は、記載された種々の複数の装置およびデバイスによって達成されることが示された結果の一部として、そして利用に固有な工程として、開示され得る。これらは単純に、意図および記載されるような複数の装置およびデバイスを利用することの、自然な結果である。さらに、複数の装置およびデバイスが開示されているが、これらは、特定の方法およびプロセスを達成するだけでなく、多数の方法で変化され得ることが、理解されるべきである。重要なことには、上述の全てについて、これらの局面の全てが、この開示によって包含されると理解されるべきである。
【００４９】
種々の変化が、本発明の本質から逸脱することなしになされ得ることもまた、理解されるべきである。このような変化はまた、本明細書中に暗に含まれる。これらは、なお本発明の範囲内である。示された明白な実施形態、多数の暗示された代替的実施形態、および広い方法またはプロセスなどの両方を包含する広い開示が、本開示によって包含される。
【００５０】
さらに、本発明の種々の構成要素の各々および特許請求の範囲はまた、種々の様式で達成され得る。この開示は、このようなバリエーションの各々を包含し、任意の装置の実施形態、方法もしくはプロセスの実施形態、またはこれらの任意の要素のバリエーションにすぎない実施形態のバリエーションである。特に、例え機能または結果だけが同じだとしても、本発明の要素に関する開示、各要素についての語が、等価な装置用語または方法用語によって表され得ると、理解されるべきである。このような等価な、より広い、またはさらにより一般的な用語は、各要素または作動の記載に包含されるとみなされるべきである。このような用語は、本発明が権利化される暗に広い範囲を明白にすることが所望される場合に、置換され得る。しかし、一例として、全ての作用は、その作用を獲得するための手段として、またはその作用を引き起こす要素として、表現され得ることが理解されるべきである。同様に、開示された各要素は、その要素が容易にする作用の開示を包含することが理解されるべきである。この最後の局面に関して、一例として、「アクチュエータ」の開示は、明白に議論されているかいないかに関わらず、「起動する」作用の開示を包含することが理解されるべきであり、そして逆に、「起動する」作用の有効な開示が存在する場合、このような開示は、「アクチュエータ」およびさらに「起動するための手段」の開示を包含することが理解されるべきである。このような変化および代替的用語は、本記載中に明白に含まれることが理解されるべきである。
【００５１】
この特許出願において言及される法律、法令、規則または規定の任意の作用、およびこの特許出願において言及される任意の特許、刊行物または他の参考文献は、本明細書中に参考として援用される。さらに、使用される各用語について、本願におけるその利用が、このような解釈と一致しない限り、一般的辞書的定義は、各用語および全定義、代替的用語、ならびに類義語（例えば、Ｒａｎｄｏｍ  Ｈｏｕｓｅ  Ｗｅｂｓｔｅｒ’ｓ  Ｕｎａｂｒｉｄｇｅｄ  Ｄｉｃｔｉｏｎａｒｙ、第二版に含まれる）について取り込まれ、そして本明細書によって参考として援用されると理解されるべきであることが、理解されるべきである。最後に、本明細書により参考として援用される参考文献のリストに列挙される全ての参考文献または本願と共に提出された情報の記述は、本明細書に添付され、そして本明細書により参考として援用される；しかし、上記の各々について、参考として援用されるこのような情報または記述が、本発明の特許を取得することに一致するとみなされ得る程度まで、このような記述は、明らかに本願によってなされるとはみなされない。
【００５２】
【表１】
2004538139.tif 000003
さらに、使用される場合、移行句「含む（ｃｏｍｐｒｉｓｉｎｇ）」の使用は、伝統的な請求項の解釈に従って、本明細書中の「オープンエンドの（ｏｐｅｎ−ｅｎｄ）」請求項を維持するために使用される。従って、文脈が他を必要としない限り、用語「含む（ｃｏｍｐｒｉｓｅ）」またはバリエーション（例えば、「含む（ｃｏｍｐｒｉｓｅｓ）」または「含む（ｃｏｍｐｒｉｓｉｎｇ）」）は、記述された要素もしくは工程、または要素もしくは工程の群を含むが、任意の他の要素もしくは工程、または要素もしくは工程の群を排除しないことの暗示を意図する。このような用語は、本出願人に、最も広い法的許容を与えるように、最も広い形態で解釈されるべきである。
【００５３】
本願中に示される特許請求の範囲は、本発明の記載の一部として、本明細書中で参考として援用され、そして本出願人は明らかに、特許請求の範囲のいずれかもしくは全て、またはその任意の要素もしくは構成要素を支持するためのさらなる記載として、このような特許請求の範囲のこのような取り込まれた内容の全てまたは一部を使用する権利を留保する。本出願人は、さらに明らかに、本願またはその任意の後の係属出願による保護が求められる事項をさらに規定することが必要である場合、あるいは任意の国の特許法、規則もしくは規約または条約の任意の利益を得るため、それらに基づく料金を減少させるため、またはそれらに適合するために必要である場合、このような特許請求の範囲のこのような取り込まれた内容の任意の部分もしくは全て、またはその任意の要素もしくは構成要素を、説明から特許請求の範囲へと、または特許請求の範囲から説明へと移動させる権利を留保する。そして参考として援用されるような内容は、本願の係属（任意の引き続く二番目の出願または任意の再発行もしくは延長を含む）の間にわたって残るべきである。
【図面の簡単な説明】
【００５４】
【図１】図１は、アクチュエータ、アクチュエータハウジングおよびカラーキャップを特に特徴とする、本発明のオフセット正面図である。
【図２】図２は、機械的破壊ユニット（ＭＢＵ）を有さない、本明細書で示される本発明のアクチュエータアセンブリの正面図である。
【図３】図３は、ＭＢＵを有さない、再び示される図２のアクチュエータアセンブリの断面図である。
【図４】図４は、オーバーキャップ、アクチュエータハウジング、カラーキャップおよび容器を示す、本発明の側面図である。
【図５】図５は、図４に示される本発明のディスペンサの一実施形態、詳細には、二重螺旋作用（ＤＨＡ）モデルの側断面図であり、ここでは、ピストンが下の位置にある状態で示されている。
【図６】図６は、ピストンが上の位置にある状態で示される、図５のＤＨＡモデルの側断面図である。
【図７】図７は、図５および図６のＤＨＡモデルを一緒に備える個々の構成要素の分解図である。
【図８】図８は、図４に示される本発明のディスペンサの第二の実施形態、詳細には、基本一重螺旋作用（ＳＨＡ）モデルの側断面図であり、これはピストンが下の位置にある状態で示されている。
【図９】図９は、図８の基本ＳＨＡモデルを一緒に備える個々の構成要素の分解図である。
【図１０】図１０は、本発明の実施形態の各々に一体的である２部品弁機構の拡大図である。
【図１１】図１１は、図４に示される本発明のディスペンサの第三の実施形態である、簡略化した一重螺旋作用（ＳＨＡ）モデルを一緒に含む個々の構成要素の分解図であり、詳細には、図７および図９に示される実施形態と比較していくつかの部品を省略して示す。
【図１２】図１２は、ピストンが下の位置にある図１１の実施形態を示す側断面図である。
【図１３】図１３は、ピストンが上の位置にある図１１の実施形態を示す側断面図である。
【図１４】図１４は、図１１の実施形態を、図１２の断面から９０°回転させた側断面図として示す側断面図であり、特に、通気穴を示しており、この通気穴は、ピストンが十分に延びた場合に大気に対して開き、それによりこのシステムは平衡状態に再確立される。
【図１５】図１５は、ピストンが下の位置にある本発明の実施形態を示す側断面図である。
【図１６】図１６は、ピストンが上の位置にある図１５の実施形態を示す側断面図である。
【国際公開パンフレット】
2004538139.tif 000004
2004538139.tif 000005
2004538139.tif 000006
2004538139.tif 000007
2004538139.tif 000008
2004538139.tif 000009
2004538139.tif 000010
2004538139.tif 000011
2004538139.tif 000012
2004538139.tif 000013
2004538139.tif 000014
2004538139.tif 000015
2004538139.tif 000016
2004538139.tif 000017
2004538139.tif 000018
2004538139.tif 000019
2004538139.tif 000020
2004538139.tif 000021
2004538139.tif 000022
2004538139.tif 000023
2004538139.tif 000024
2004538139.tif 000025
2004538139.tif 000026
2004538139.tif 000027
2004538139.tif 000028
2004538139.tif 000029
2004538139.tif 000030
2004538139.tif 000031
2004538139.tif 000032
2004538139.tif 000033
2004538139.tif 000034
2004538139.tif 000035
2004538139.tif 000036
2004538139.tif 000037
2004538139.tif 000038
2004538139.tif 000039
2004538139.tif 000040
2004538139.tif 000041
2004538139.tif 000042
2004538139.tif 000043
2004538139.tif 000044
2004538139.tif 000045
2004538139.tif 000046
2004538139.tif 000047
2004538139.tif 000048
2004538139.tif 000049
2004538139.tif 000050
2004538139.tif 000051
2004538139.tif 000052
2004538139.tif 000053
2004538139.tif 000054
2004538139.tif 000055
2004538139.tif 000056
2004538139.tif 000057
【国際調査報告】
2004538139.tif 000058
2004538139.tif 000059
2004538139.tif 000060